(57)【要約】【課題】複数のソースを切り替える場合に、切り替え後のソースから供給されるコンテンツを確実に再生する。【解決手段】再生装置は、再生部と、複数の通信経路と、通信経路制御部とを備える。再生部は、複数のソースからそれぞれ供給されるコンテンツを択一的に再生可能とされる。複数の通信経路は、複数のソースにそれぞれ対応し、複数のソースをそれぞれ再生部に接続する。通信経路制御部は、再生部で再生されるコンテンツを有するソースを切り替える指示を受け付けた場合、複数の通信経路のうち、切り替え前のソースに対応する通信経路の通信を無効化する。【選択図】図４
2014072789.tif 000002
【特許請求の範囲】
【請求項１】
複数のソースからそれぞれ供給されるコンテンツを択一的に再生可能な再生部と、
前記複数のソースにそれぞれ対応し、前記複数のソースをそれぞれ前記再生部に接続する複数の通信経路と、
前記再生部で再生されるコンテンツを有するソースを切り替える指示を受け付けた場合、前記複数の通信経路のうち、切り替え前のソースに対応する通信経路の通信を無効化する通信経路制御部と
を備えることを特徴とする再生装置。
【請求項２】
前記通信経路制御部は、前記複数の通信経路のうち、最後に通信が確立された通信経路を、該通信経路の通信が確立される前に通信が確立されていた通信経路よりも優先的に使用すること
を特徴とする請求項１に記載の再生装置。
【請求項３】
前記通信経路制御部は、前記複数の通信経路のうちのいずれか一つに対し、前記ソースを切り替える指示を受け付けた場合であっても通信を無効化しない通信経路を設定すること
を特徴とする請求項１または請求項２に記載の再生装置。
【請求項４】
前記ソースが接続されていることを示すアイコンを表示する表示部と、
前記通信経路制御部によって前記通信経路の通信が無効化された場合であっても、前記無効化された通信経路に対応するソースのアイコンを前記表示部に継続して表示させるアイコン表示制御部と
を備えることを特徴とする請求項１〜３のいずれか一つに記載の再生装置。
【請求項５】
前記切り替え後のソースのコンテンツの再生コマンドを出力して、前記切り替え後のソースから供給される前記コンテンツを前記再生部で再生させる再生コマンド出力部
を備えることを特徴とする請求項１〜４のいずれか一つに記載の再生装置。
【請求項６】
前記再生コマンド出力部によって前記再生コマンドが出力されてから所定時間が経過したとき、前記コンテンツの再生がなされているか否か判定する判定部
を備え、
前記再生コマンド出力部は、前記判定部によって前記コンテンツの再生がなされていないと判定された場合、前記再生コマンドを再度出力すること
を特徴とする請求項５に記載の再生装置。
【請求項７】
前記複数のソースを有する外部機器の固有情報を取得する固有情報取得部
を備え、
前記通信経路制御部は、前記固有情報取得部で取得した前記固有情報に応じて、前記切り替え前のソースに対応する前記通信経路の通信を無効化するか否か決定すること
を特徴とする請求項１に記載の再生装置。
【請求項８】
複数のソースを有する外部機器と、前記複数のソースからそれぞれ供給される複数のコンテンツを択一的に再生する再生装置と、前記複数のソースにそれぞれ対応し、前記複数のソースをそれぞれ前記再生装置に接続する複数の通信経路とを備える再生システムであって、
前記再生装置は、再生されるコンテンツを有するソースを切り替える指示を受け付けた場合、前記複数の通信経路のうち、切り替え前のソースに対応する通信経路の通信を無効化する通信経路制御部
を備えることを特徴とする再生システム。
【発明の詳細な説明】
【技術分野】
【０００１】
開示の実施形態は、再生装置および再生システムに関する。
【背景技術】
【０００２】
従来、例えば携帯電話やスマートフォン、またはＤＶＤ（Digital Versatile Disc）プレーヤなどの外部機器に接続され、外部機器に格納された複数のソースから供給されるコンテンツを択一的に再生可能な再生装置が知られている（例えば特許文献１参照）。そして近年、複数のソースと再生装置とを、例えばＢＴ（Bluetooth（登録商標））経路やＨＤＭＩ（High-Definition Multimedia Interface）経路、またはＵＳＢ（Universal Serial Bus）経路など、複数の通信経路で通信を確立し、データ通信を行う技術も提案されている。
【先行技術文献】
【特許文献】
【０００３】
【特許文献１】特開２００６−０８６８０５号公報
【発明の概要】
【発明が解決しようとする課題】
【０００４】
しかしながら、上記した再生装置にあっては、複数の通信経路における通信が確立される場合、これら通信が確立された複数の通信経路のうち最後に通信の確立が行われた通信経路（通信の確立が順番的に後のもの、換言すれば最も新しいもの）が、他の通信経路よりも優先的に使用されていた。そのため、複数のソースを切り替えてコンテンツを再生しようとする場合、最後に通信の確立が行われた通信経路以外の通信経路に対応するソースからはデータが供給されず、コンテンツが再生されないといった問題があった。
【０００５】
すなわち、再生装置において、例えば、ＢＴ経路の通信が確立され、ＢＴ経路に対応したソースのコンテンツが再生可能な状態において、ＨＤＭＩ経路の通信が確立されると、ＨＤＭＩ経路に対応したソースのコンテンツが再生可能な状態となる。そして、このような状態の再生装置において、再びＢＴ経路に対応するソースへ切り替えたとしても、ＨＤＭＩ経路が優先的に使用されている（データの送受信が可能な状態にある）ため、ＢＴ経路のソースからデータが供給されず、コンテンツが再生されないといった問題があった。
【０００６】
実施形態の一態様は、上記に鑑みてなされたものであって、複数のソースを切り替える場合に、切り替え後のソースから供給されるコンテンツを確実に再生することができる再生装置および再生システムを提供することを目的とする。
【課題を解決するための手段】
【０００７】
実施形態の一態様に係る再生装置は、再生部と、複数の通信経路と、通信経路制御部とを備える。再生部は、複数のソースからそれぞれ供給されるコンテンツを択一的に再生可能とされる。複数の通信経路は、前記複数のソースにそれぞれ対応し、前記複数のソースをそれぞれ前記再生部に接続する。通信経路制御部は、前記再生部で再生されるコンテンツを有するソースを切り替える指示を受け付けた場合、前記複数の通信経路のうち、切り替え前のソースに対応する通信経路の通信を無効化する。
【発明の効果】
【０００８】
実施形態の一態様によれば、複数のソースを切り替える場合に、切り替え後のソースから供給されるコンテンツを確実に再生することができる。
【図面の簡単な説明】
【０００９】
【図１】図１は、第１の実施形態に係る再生システムの概要を示す図である。
【図２】図２は、図１に示す再生システムの構成を示すブロック図である。
【図３】図３は、図１に示す表示部に表示されるアイコンの一例を示す図である。
【図４】図４は、図２に示す再生装置の制御部の動作を示すフローチャートである。
【図５】図５は、図１に示す第１から第３のソースの切り替えの説明図である。
【図６】図６は、図２に示す再生装置の制御部が実行するコンテンツの再生処理を示すフローチャートである。
【図７】図７は、第２の実施形態に係る再生システムの構成を示すブロック図である。
【図８】図８は、図７に示す再生装置の制御部の動作を示すフローチャートである。
【発明を実施するための形態】
【００１０】
以下、添付図面を参照して、本願の開示する再生装置および再生システムの実施形態を詳細に説明する。なお、以下に示す実施形態によりこの発明が限定されるものではない。
【００１１】
（第１の実施形態）
図１は、第１の実施形態に係る再生システム１の概要を示す図である。図１に示すように、再生システム１は、自動車等の車両２に搭載される再生装置１０と、再生装置１０に通信自在に接続される外部機器１１とを備える。
【００１２】
再生装置１０は、例えば外部機器１１から供給されるコンテンツを再生する。コンテンツには、例えば楽曲（音楽）や映像、画像等の情報が含まれるが、コンテンツの内容はこれらに限定されるものではない。再生装置１０は、コンテンツを再生するための表示部１２およびスピーカ１３を備える。
【００１３】
表示部１２は、ディスプレイを有し、車両２に乗車したユーザが視認可能な位置、例えば車室内前方のダッシュボード内等の位置に配置される。スピーカ１３は、車両２の車室内の適宜な位置に配置される。なお、図１においては、表示部１２およびスピーカ１３をそれぞれ１個備えるように示したが、例えば車室内において運転席付近と後部座席付近とに複数個配置するようにしてもよい。また、再生装置１０は、車両２の車室内に固定して設置されるもののほか、車両２に備えられたホルダ等に保持される携帯可能なものであってもよい。さらには、再生装置１０を車両２に搭載されるようにしたが、それに限定されるものではなく、コンテンツを再生可能な場所であれば、飛行機や列車など他の乗り物、または屋内、屋外などどのような場所に設置されてもよい。
【００１４】
外部機器１１は、例えば携帯電話やスマートフォン等の可搬性の電子機器であり、コンテンツを有する複数のソース、例えば３個のソース１４ａ，１４ｂ，１４ｃを備える。以下において、符号１４ａで示すソースを「第１のソース１４ａ」、符号１４ｂのソースを「第２のソース１４ｂ」、符号１４ｃのソースを「第３のソース１４ｃ」と称する。
【００１５】
第１から第３のソース１４ａ，１４ｂ，１４ｃにはそれぞれ、後述する複数の通信経路（伝達経路）で、互いに種類の異なる通信経路を介して再生されるコンテンツが格納される。例えば、第１のソース１４ａには、複数の通信経路のうち、ＢＴ（Bluetooth（登録商標））経路で再生されるコンテンツが格納される。また、第２のソース１４ｂには、例えば複数の通信経路のうち、ＨＤＭＩ（High-Definition Multimedia Interface）経路で再生されるコンテンツが格納され、第３のソース１４ｃには、例えば複数の通信経路のうち、ＵＳＢ（Universal Serial Bus）経路で再生されるコンテンツが格納される。
【００１６】
なお、１台の外部機器１１が第１から第３のソース１４ａ，１４ｂ，１４ｃの全てを有するようにしたが、例えば、複数台の外部機器の場合は、複数台の外部機器のうちの１台が、第１から第３のソース１４ａ，１４ｂ，１４ｃのうちの１つまたは２つのソースを有し、残りの外部機器が残余のソースを有するようにしてもよい。また、外部機器１１は、上述した携帯電話等に限られるものではなく、ＤＶＤプレーヤや携帯型ゲーム機、タブレット端末などコンテンツを再生することが可能な機器であればどのようなものであってもよい。
【００１７】
また、外部機器１１は、再生システム１に利用される場合、外部機器１１を保持するホルダ（図示せず）によって車両２のダッシュボード上等に固定される。かかるホルダは、ユーザにより着脱可能なもので、外部機器１１を完全に固定するものでなくてもよい。
【００１８】
図２は、図１に示す再生システム１の構成を示すブロック図である。図２に示すように、外部機器１１が有する第１から第３のソース１４ａ，１４ｂ，１４ｃと再生装置１０とは、第１から第３のソース１４ａ，１４ｂ，１４ｃのそれぞれに対応する複数の通信経路、例えば第１から第３の通信経路２０ａ，２０ｂ，２０ｃを介して接続される。詳しくは、第１の通信経路２０ａは、第１のソース１４ａに対応しており、無線通信であるＢＴ経路である。また、第２の通信経路２０ｂは、第２のソース１４ｂに対応しており、通信ケーブル等を用いた有線通信であるＨＤＭＩ経路であり、第３の通信経路２０ｃは、第３のソース１４ｃに対応しており、通信ケーブル等を用いた有線通信であるＵＳＢ経路である。
【００１９】
このように、複数の通信経路２０ａ，２０ｂ，２０ｃが接続される再生装置１０にあっては、後述するように、最後に通信が確立された通信経路（通信が確立された順番が後のもの、換言すれば最も新しいもの）において優先的にデータの送受信が行われる。このように、最後に通信が確立された通信経路を、それ以前に通信が確立された通信経路よりも優先的に使用してしまうと、複数のソースを切り替えてコンテンツを再生しようとする場合、最後に通信の確立が行われた通信経路以外の通信経路に対応するソースからはデータが供給されず、コンテンツが再生されないといった問題があった。
【００２０】
すなわち、再生装置において、例えば、第１の通信経路の通信が確立され、第１のソースのコンテンツが再生可能な状態において、第２の通信経路の通信が確立されると、第２のソースのコンテンツが再生可能な状態となる。そして、このような状態の再生装置において、再び第１のソースへ切り替えたとしても、第２の通信経路が優先的に使用されている（データの送受信が可能な状態にある）ため、第１のソースからデータが供給されず、コンテンツが再生されないといった問題があった。
【００２１】
そこで、本実施形態に係る再生装置１０および再生システム１は、ソースを切り替える指示を受け付けたら、切り替え前のソースに対応する通信経路の通信が確立している状態や接続している状態を解除（通信を無効化）し、切り替え先のソースに対応する通信経路の通信状態や接続状態を確立（通信を有効化）することによって、新たに通信が確立された状態を形成するようにした。すなわち、ソースを切り替える度に、切り替え前のソースに対応する通信経路の通信状態や接続状態を解除（切断）し、切り替え先のソースに対応する通信経路の通信状態や接続状態を新たに確立する状態を形成することによって、切り替え後のソースから確実にデータが供給されるような状態を確立し、コンテンツを確実に再生することができるようにした。
【００２２】
ここで、通信の確立について説明する。通信の確立は、特定の機器間で通信を行えるようにするための処理のことである。具体的には、通信を行う機器間で各種設定（機器識別用のコードや通信チャンネル、周波数ホッピングなどの通信モード等）を行うためのパラメータをメモリに記憶し、記憶したパラメータに基づいて動作させるための処理のことである。このような構成から、通常、ソースの切り換えに伴って通信を停止するだけでは、通信の確立は解除されない。すなわち、ソースを切り換える操作は、単に通信を停止する状態を形成するに過ぎず、通信の確立を解除するものではない。
【００２３】
そこで、本実施形態に係る再生装置１０および再生システム１では、ソースの切り換えに伴って通信の確立を解除し（もしくは、解除したとみなし）、再度、ソースを選択するときに改めて通信の確立を行うことを実現した。なお、より詳細には、必ずしもソースの切り換えに伴って通信の確立を解除する必要はなく、ソースを再度選択するときまでに、通信の確立が解除されていればよい。
【００２４】
図２の説明を続けると、再生システム１の再生装置１０は、第１、第２および第３の通信部１５ａ，１５ｂ，１５ｃと、制御部１６と、アンプ１７と、上述した表示部１２と、スピーカ１３とを備える電子制御装置である。
【００２５】
第１の通信部１５ａは、外部機器１１の第１のソース１４ａと、第１の通信経路２０ａを介して通信可能に接続され、第１のソース１４ａに格納されたコンテンツデータや認証処理のためのデータなどの送受信を行う。例えば、第１の通信部１５ａは、認証等を含むペアリング処理を行って外部機器１１との通信を確立する。
【００２６】
また、第２の通信部１５ｂは、第２のソース１４ｂと、第２の通信経路２０ｂを介して通信可能に接続され、第２のソース１４ｂのコンテンツなどのデータの送受信を行う。また、第３の通信部１５ｃは、第３のソース１４ｃと、第３の通信経路２０ｃを介して通信可能に接続され、第３のソース１４ｃのコンテンツなどのデータの送受信を行う。
【００２７】
制御部１６は、ＣＰＵ，ＲＡＭ及びＲＯＭ等を備え、再生装置１０の全体を制御するマイクロコンピュータである。制御部１６は、再生部１６ａと、通信経路制御部１６ｂと、再生コマンド出力部１６ｃと、判定部１６ｄと、アイコン表示制御部１６ｅとを備え、上述した第１から第３のソース１４ａ，１４ｂ，１４ｃから供給されるコンテンツなどの情報が第１から第３の通信部１５ａ，１５ｂ，１５ｃを介して入力される。
【００２８】
再生部１６ａは、第１から第３のソース１４ａ，１４ｂ，１４ｃからそれぞれ供給されるコンテンツを択一的に再生可能に構成される。詳しくは、再生部１６ａは、供給される複数のコンテンツのうち、ユーザによって選択された一つのソースのコンテンツの音声信号をアンプ１７へ出力することで、コンテンツを再生する。なお、コンテンツの再生は、コンテンツの内容に応じて、映像信号を表示部１２へ出力して表示させてもよく、さらには音声信号および映像信号の両方を出力して行うようにしてもよい。
【００２９】
通信経路制御部１６ｂは、第１および第２の通信経路２０ａ，２０ｂの通信をそれぞれ有効化と無効化との間で切り替える制御を実行する。ここで、通信の有効化とは、接続された通信経路を通信可能な状態とする（通信経路の通信状態や接続状態を確立する）ことを意味し、通信の無効化とは、通信経路自体は接続されているが通信できない状態とする（通信経路の確立された通信状態や接続状態を解除する）ことを意味する。
【００３０】
すなわち、通信が有効になると、外部機器１１の各ソース１４ａ，１４ｂ，１４ｃから再生装置１０の制御部１６にコンテンツのデータが供給されるため、再生装置の１０の再生部１６ａによってコンテンツを再生することが可能となる。他方、通信が無効になると、外部機器１１の各ソース１４ａ，１４ｂ，１４ｃから再生装置１０の制御部１６にコンテンツのデータが供給されなくなるため、再生装置の１０の再生部１６ａによってコンテンツを再生することが不可能となる。
【００３１】
なお、第１の通信経路２０ａの通信の無効化は、複数ある通信のプロファイルのうち、一部を無効化することで行われる。詳しくは、第１の通信経路２０ａであるＢＴ経路の場合、ＡＶＰ（Audio/Video Profile）やＨＦＰ（Hands-Free Profile）、ＰＢＡＰ（Phone Book Access Profile）などのプロファイルがあるが、このうちのＡＶＰを無効化し、ＨＦＰなどは有効のままとする。また、第２の通信経路２０ｂであるＨＤＭＩ経路の場合、Rx Power（受信電源）を無効化する一方、Hot Plug Detect（ホットプラグ検出）は有効化したままで、第２の通信経路２０ｂの通信の無効化が行われる。なお、第３の通信経路２０ｃについては、後述するように無効化されない。
【００３２】
通信経路制御部１６ｂは、例えば複数の通信経路が順次接続される場合、複数の通信経路のうち、最後に通信が確立された通信経路を、それ以前に通信が確立された通信経路よりも優先的に使用する（以下、最後に通信が確立された通信経路を優先的に使用することを「後優先」とも表現する）。これにより、最後に通信が確立された通信経路に対応するソースのコンテンツが再生部１６ａによって再生されることとなる。なお、この明細書において「最後に通信が確立された通信経路」とは、通信が確立された順番が複数の通信経路の中で最も後の通信経路、換言すれば最も新しく通信が確立された通信経路を意味する。また、この明細書において「通信経路を使用する」とは、通信経路を介してデータなどの送受信を行うことを意味する。
【００３３】
また、通信経路制御部１６ｂは、後述するように、再生部１６ａで再生されるコンテンツを有するソースを切り替える指示を受け付けた場合、複数の通信経路２０ａ，２０ｂのうち、切り替え前のソースに対応する通信経路の通信を無効化、すなわち、切り替え前の通信経路の通信が確立している状態や接続している状態を解除する。
【００３４】
通信経路制御部１６ｂは、ソースを切り替える指示を受け付けた場合、切り替え後のソースに対応する通信経路を有効化、すなわち、切り替え後のソースに対応する通信経路の通信状態や接続状態を確立することによって、新たに通信が確立された状態を形成する。ここで、通信状態の確立は、前述したように、例えば再生装置１０の通信経路制御部１６ｂが、通信確立を行う通信経路に対応するソースを有する外部機器１１との間で各種設定することで行われる。例えば、通信経路制御部１６ｂは、図示しないメモリに記憶された各種パラメータに基づき、外部機器１１から送信される機器識別用のコードの認証や通信モード（通信チャンネル、周波数ホッピング等）を設定することで、通信経路の通信を確立させる。
【００３５】
また、通信経路制御部１６ｂは、例外的に、複数の通信経路２０ａ，２０ｂ，２０ｃのうちのいずれか一つに対し、ソースを切り替える指示を受け付けた場合であっても、通信が確立している状態を解除しない、すなわち通信を無効化しない通信経路を設定する。ここで、通信を無効化しない通信経路は、例えば第３の通信経路２０ｃに設定される。なお、通信を無効化しない通信経路は第３の通信経路２０ｃに限定されるものではなく、第１の通信経路２０ａまたは第２の通信経路２０ｂであってもよい。上述したソース切り替え時における通信経路の通信の無効化や有効化については、後に詳説する。
【００３６】
また、他の実施形態として、外部機器１１が通信経路制御部１６ｂを有していてもよい。この場合、上述した実施形態のように、再生装置１０側で、通信経路に対する通信の確立の有効化および無効化を制御するのではなく、外部機器１１側で、通信経路に対する通信の確立の有効化および無効化を制御するものである。
【００３７】
具体的には、例えば、制御部１６は、ソースを切り替える指示を受け付けたら、ソースの切り替えを要求する切替要求信号を、再生装置１０と外部機器１１との間で通信が確立している通信経路を介して、外部機器１１の通信経路制御部に送信する。そして、外部機器１１の通信経路制御部は、切替要求信号を受信したら、この切替要求信号を受信する前までコンテンツデータを送受信していたソースに対応する通信経路の通信を無効化し、切り替え後のソースに対応する通信経路を有効化することによって、新たに通信が確立された状態を形成するといった処理を行う。
【００３８】
再生コマンド出力部１６ｃは、切り替え後のソースのコンテンツの再生コマンドを再生部１６ａに対して出力し、ソースから供給されるコンテンツを再生部１６ａで再生させる。判定部１６ｄは、再生部１６ａにおいてコンテンツの再生がなされているか否か判定する。具体的に判定部１６ｄは、コンテンツが再生されていることを確認するコマンド、詳しくはコンテンツが再生状態にあるか、一時停止状態にあるかを確認するコマンドを外部機器１１に対して出力する。そして、判定部１６ｄは、外部機器１１から返信される、コンテンツの再生状態または一時停止状態を示す信号に基づき、再生部１６ａにおいてコンテンツの再生がなされているか否か判定する。
【００３９】
なお、他の実施形態として、判定部１６ｄは、コンテンツが再生されていることを確認するコマンドを再生部１６ａに対して出力し、再生部１６ａから返信される、コンテンツの再生状態または一時停止状態を示す信号に基づき、再生部１６ａにおいてコンテンツの再生がなされているか否か判定するように構成してもよい。
【００４０】
アイコン表示制御部１６ｅは、接続されている第１から第３のソース１４ａ，１４ｂ，１４ｃにそれぞれ対応する複数のアイコン、具体的には第１から第３のアイコン２１ａ，２１ｂ，２１ｃを表示部１２に表示させる。図３は、表示部１２に表示される第１から第３のアイコン２１ａ，２１ｂ，２１ｃの一例を示す図である。
【００４１】
図３に示すように、第１のアイコン２１ａは、表示部１２において、第１のソース１４ａに対応する通信経路である「ＢＴ」を識別可能な表示が行われる。第２のアイコン２１ｂは、第２のソース１４ｂに対応する通信経路である「ＨＤＭＩ」を識別可能な表示が行われ、第３のアイコン２１ｃは、第３のソース１４ｃに対応する通信経路である「ＵＳＢ」を識別可能な表示が行われる。また、第１から第３のアイコン２１ａ，２１ｂ，２１ｃのそれぞれに、第１から第３のソース１４ａ，１４ｂ，１４ｃを識別可能な表示を行ってもよい。これにより、ユーザは、表示部１２を目視するだけで、再生装置１０に接続されているソースおよび通信経路の種類を容易に把握することができる。
【００４２】
また、第１から第３のアイコン２１ａ，２１ｂ，２１ｃが表示される表示部１２は、タッチパネルを備え、ユーザの操作を受け付けることが可能とされる。具体的には、ユーザがタッチパネルとしての表示部１２に触れた場合、ユーザが触れた表示部１２上の座標位置に基づき、制御部１６がユーザの操作内容を検出する。したがって、制御部１６は、第１のアイコン２１ａがユーザに触れられた場合、再生装置１０で再生されるコンテンツを第１のソース１４ａから供給されるコンテンツに切り替える指示として受け付ける。同様に、制御部１６は、第２のアイコン２１ｂがユーザに触れられた場合、第２のソース１４ｂのコンテンツに切り替える指示として受け付け、第３のアイコン２１ｃが触れられた場合、第３のソース１４ｃのコンテンツに切り替える指示として受け付ける。
【００４３】
なお、上述したソースを切り替える指示は、アイコンの操作に限定されるものではなく、再生装置１０近傍に設けられるボタンの操作、外部機器１１側での操作、あるいはユーザの声などを、ソースの切り替え指示として受け付けるようにしてもよい。
【００４４】
アンプ１７は、制御部１６とスピーカ１３との間に介挿され、制御部１６の再生部１６ａから出力された音声信号を増幅してスピーカ１３に出力し、出音させる、換言すればコンテンツを再生させる。
【００４５】
図４は、上述した再生装置１０の制御部１６の動作を示すフローチャートである。図４に示す如く、制御部１６は先ず、再生装置１０の再生部１６ａに接続されているソースを検出する（ステップＳ１）。なお、本実施形態では、第１から第３のソース１４ａ，１４ｂ，１４ｃが第１から第３の通信経路２０ａ，２０ｂ，２０ｃを介して接続されていることを検出するものとする。
【００４６】
次いで、現在、再生部１６ａで再生されているコンテンツに対応するソースが、第１から第３のソース１４ａ，１４ｂ，１４ｃのうちのいずれであるかを検出する（ステップＳ２）。ステップＳ２において、現在のソースが第１のソース１４ａである場合、次に制御部１６は、表示部１２のアイコン２１ａ，２１ｂ，２１ｃを通じて、再生部１６ａで再生されるコンテンツを有するソースを切り替える指示を受け付けたか否か判定する（ステップＳ３）。
【００４７】
なお、現在のソースが第１のソース１４ａである場合、再生装置１０は、第１のソース１４ａに対応する第１の通信経路２０ａの通信が最後に確立された状態、例えば図４の処理を前回実行したときに第１のソース１４ａに切り替えられて第１の通信経路２０ａの通信が確立された状態である。そのため、再生装置１０の通信状態は、第１および第３の通信経路２０ａ，２０ｃの通信が確立され、そのうちの第１の通信経路２０ａにおいてデータの送受信が可能な状態（第１の通信経路２０ａが優先的に使用される状態）である。
【００４８】
制御部１６は、ソースの切り替え指示を受け付けていないと判定した場合（ステップＳ３，Ｎｏ）、ステップＳ３の処理を繰り返す。一方、制御部１６は、ソースの切り替え指示を受け付けたと判定した場合（ステップＳ３，Ｙｅｓ）、その切り替え指示が第１のソース１４ａから第２のソース１４ｂへの切り替え指示か否か判定する（ステップＳ４）。
【００４９】
切り替え指示が第１のソース１４ａから第２のソース１４ｂへの切り替え指示である場合（ステップＳ４，Ｙｅｓ）、通信経路制御部１６ｂは、切り替え前のソースである第１のソース１４ａに対応する第１の通信経路２０ａの通信を無効化し、切り替え後のソースである第２のソース１４ｂに対応する第２の通信経路２０ｂの通信を有効化する。
【００５０】
これにより、再生装置１０の通信状態は、第２の通信経路２０ｂおよび第３の通信経路２０ｃの通信が確立されることとなるが、第２の通信経路２０ｂの通信が最後に確立される、換言すれば第３の通信経路２０ｃよりも後に確立されるため、第２の通信経路２０ｂでのデータの送受信が可能な状態となる。そのため、切り替え後の第２のソース１４ｂから確実にデータが供給されるような状態が確立され、よって第２の通信経路２０ｂに対応する第２のソース１４ｂから供給されるコンテンツを再生部１６ａで確実に再生することができる。
【００５１】
なお、ステップＳ５において第１の通信経路２０ａの通信が無効化された場合であっても、アイコン表示制御部１６ｅは、通信が無効化された第１の通信経路２０ａに対応する第１のソース１４ａの第１のアイコン２１ａを表示部１２に継続して表示させる。これにより、ユーザは、通信経路の通信が有効化しているか、無効化しているかに関わらず、現在接続されている通信経路を認識することが可能となり、よって接続されている通信経路に対応するソースの切り替え指示を容易に行うことができる。なお、アイコン表示制御部１６ｅは、後述するように第２の通信経路２０ｂの通信が無効化された場合も、同様に、第２の通信経路２０ｂに対応する第２のソース１４ｂの第２のアイコン２１ｂを表示部１２に継続して表示させる。
【００５２】
他方、切り替え指示が第１のソース１４ａから第２のソース１４ｂへの切り替え指示ではない場合（ステップＳ４，Ｎｏ）、すなわち第１のソース１４ａから第３のソース１４ｃへの切り替え指示である場合、切り替え前のソースである第１のソース１４ａに対応する第１の通信経路２０ａの通信を無効化する（ステップＳ６）。これにより、再生装置１０の通信状態は、第３の通信経路２０ｃの通信が確立されていることとなる。したがって、切り替え後の第３のソース１４ｃから再生装置１０へ確実にデータが供給されるような状態が確立され、よって第３の通信経路２０ｃに対応する第３のソース１４ｃから供給されるコンテンツを再生部１６ａで確実に再生することができる。
【００５３】
また、ステップＳ５やステップＳ６などの処理後、第２または第３のソース１４ｂ，１４ｃのコンテンツが再生されている状態のとき、ユーザから第１のソース１４ａをペアリング処理を行って接続させる指示が入力されることがある。この場合、第１通信経路２０ａの通信が確立してデータの送受信が行われてしまうため、第２または第３のソース１４ｂ，１４ｃのコンテンツが再生されなくなる。そこで、通信経路制御部１６ｂは、ペアリング処理が終了すると、直ちに第１の通信経路２０ａの通信を無効化すると共に、第２または第３の通信経路２０ｂ，２０ｃを有効化して通信を確立させ、第２または第３のソース１４ｂ，１４ｃのコンテンツの再生を再開するようにする。ただし、第１の通信経路２０ａの通信を無効化するまでの僅かな時間、第２または第３のソース１４ｂ，１４ｃのコンテンツが再生されないため、制御部１６はその間、第１のソース１４ａを接続中（通信確立中）である旨を示すポップアップ表示を表示部１２に表示し、ユーザにコンテンツが再生されない理由を報知する。
【００５４】
さらに、ペアリング処理によって第１のソース１４ａの接続が一旦設定されると、車両２のキー（図示せず）をＡＣＣ−ＯＮ（アクセサリーオン）の位置まで回して電源を入れるたびに、第１のソース１４ａの接続サーチが行われる。この場合も、上記と同様に、第２または第３のソース１４ｂ，１４ｃのコンテンツが再生されなくなるため、制御部１６は、接続サーチが終了するまでの間、第１のソース１４ａの接続サーチであることを示すポップアップ表示を行う。そして制御部１６は、接続サーチ終了後直ちに第１の通信経路２０ａの通信を無効化すると共に、第２または第３の通信経路２０ｂ，２０ｃを有効化して通信を確立させ、第２または第３のソース１４ｂ，１４ｃのコンテンツの再生を再開するようにする。
【００５５】
図４の説明を続けると、ステップＳ２において、現在のソースが第２のソース１４ｂであることが検出された場合、制御部１６は、ステップＳ３と同様、ソースを切り替える指示を受け付けたか否か判定する（ステップＳ７）。なお、現在のソースが第２のソース１４ｂである場合、再生装置１０の通信状態は、第２および第３の通信経路２０ｂ，２０ｃの通信が確立され、そのうちの第２の通信経路２０ｂにおいてデータの送受信が可能な状態である。
【００５６】
制御部１６は、ソースの切り替え指示を受け付けていないと判定した場合（ステップＳ７，Ｎｏ）、ステップＳ７の処理を繰り返す。一方、制御部１６は、ソースの切り替え指示を受け付けたと判定した場合（ステップＳ７，Ｙｅｓ）、その切り替え指示が第２のソース１４ｂから第１のソース１４ａへの切り替え指示か否か判定する（ステップＳ８）。
【００５７】
切り替え指示が第１のソース１４ａへの切り替え指示である場合（ステップＳ８，Ｙｅｓ）、通信経路制御部１６ｂは、切り替え前のソースである第２のソース１４ｂに対応する第２の通信経路２０ｂの通信を無効化し、切り替え後のソースである第１のソース１４ａに対応する第１の通信経路２０ａの通信を有効化する。
【００５８】
これにより、再生装置１０の通信状態は、第１の通信経路２０ａおよび第３の通信経路２０ｃの通信が確立されることとなるが、第１の通信経路２０ａの通信が最後に確立される、換言すれば第３の通信経路２０ｃよりも後に確立されるため、第１の通信経路２０ａでのデータの送受信が可能な状態となる。そのため、切り替え後の第１のソース１４ａから確実にデータが供給されるような状態が確立され、よって第１の通信経路２０ａに対応する第１のソース１４ａから供給されるコンテンツを再生部１６ａで確実に再生することができる。
【００５９】
他方、切り替え指示が第１のソース１４ａへの切り替え指示ではない場合（ステップＳ８，Ｎｏ）、すなわち第３のソース１４ｃへの切り替え指示である場合、切り替え前のソースである第２のソース１４ｂに対応する第２の通信経路２０ｂの通信を無効化する（ステップＳ１０）。これにより、再生装置１０の通信状態は、第３の通信経路２０ｃの通信が確立されていることとなる。したがって、切り替え後の第３のソース１４ｃから再生装置１０へ確実にデータが供給されるような状態が確立され、よって第３の通信経路２０ｃに対応する第３のソース１４ｃから供給されるコンテンツを再生部１６ａで確実に再生することができる。
【００６０】
また、ステップＳ２において、現在のソースが第３のソース１４ｃであることが検出された場合、制御部１６は、ステップＳ３やＳ７と同様、ソースを切り替える指示を受け付けたか否か判定する（ステップＳ１１）。なお、現在のソースが第３のソース１４ｃである場合、再生装置１０の通信状態は、第３の通信経路２０ｃの通信が確立された状態である。
【００６１】
制御部１６は、ソースの切り替え指示を受け付けていないと判定した場合（ステップＳ１１，Ｎｏ）、ステップＳ１１の処理を繰り返す。一方、制御部１６は、ソースの切り替え指示を受け付けたと判定した場合（ステップＳ１１，Ｙｅｓ）、その切り替え指示が第３のソース１４ｃから第１のソース１４ａへの切り替え指示か否か判定する（ステップＳ１２）。
【００６２】
切り替え指示が第１のソース１４ａへの切り替え指示である場合（ステップＳ１２，Ｙｅｓ）、通信経路制御部１６ｂは、切り替え後のソースである第１のソース１４ａに対応する第１の通信経路２０ａの通信を有効化する。
【００６３】
これにより、再生装置１０の通信状態は、第１の通信経路２０ａおよび第３の通信経路２０ｃの通信が確立されることとなるが、第１の通信経路２０ａの通信が最後に確立される、換言すれば第３の通信経路２０ｃよりも後に確立されるため、第１の通信経路２０ａでのデータの送受信が可能な状態となる。そのため、切り替え後の第１のソース１４ａから確実にデータが供給されるような状態が確立され、よって第１の通信経路２０ａに対応する第１のソース１４ａから供給されるコンテンツを再生部１６ａで確実に再生することができる。
【００６４】
他方、切り替え指示が第１のソース１４ａへの切り替え指示ではない場合（ステップＳ１２，Ｎｏ）、すなわち第２のソース１４ｂへの切り替え指示である場合、切り替え後のソースである第２のソース１４ｂに対応する第２の通信経路２０ｂの通信を有効化する。これにより、再生装置１０の通信状態は、第２の通信経路２０ｂおよび第３の通信経路２０ｃの通信が確立されることとなるが、第２の通信経路２０ｂの通信が最後に確立されるため、第２の通信経路２０ｂでのデータの送受信が可能な状態となる。そのため、第２の通信経路２０ｂに対応する第２のソース１４ｂから供給されるコンテンツを再生部１６ａで確実に再生することができる。
【００６５】
上記においては、第１から第３のソース１４ａ，１４ｂ，１４ｃの３つのソースが再生装置１０の再生部１６ａに接続される場合を例にとって説明したが、これに限られるものではなく、ソースが２つあるいは４つ以上であってもよい。すなわち、例えばソースが第１および第２のソース１４ａ，１４ｂの２つである場合、図４においては、ステップＳ４，Ｓ６，Ｓ８，Ｓ１０，Ｓ１１からＳ１４までの処理を削除することで、本実施形態を適用することができる。
【００６６】
図５は、上述した第１から第３のソース１４ａ，１４ｂ，１４ｃの切り替えの説明図である。図５を参照して簡単に再説すると、第１のソース１４ａから第２のソース１４ｂへ切り替える場合、第１の通信経路２０ａの通信を無効化し、第２の通信経路２０ｂの通信を有効化する。第１のソース１４ａから第３のソース１４ｃへ切り替える場合、第１の通信経路２０ａの通信を無効化する。
【００６７】
第２のソース１４ｂから第１のソース１４ａへ切り替える場合、第２の通信経路２０ｂの通信を無効化し、第１の通信経路２０ａの通信を有効化する。第２のソース１４ｂから第３のソース１４ｃへ切り替える場合、第２の通信経路２０ｂの通信を無効化する。また、第３のソース１４ｃから第１のソース１４ａへ切り替える場合、第１の通信経路２０ａの通信を有効化し、第２のソース１４ｂへ切り替える場合、第２の通信経路２０ｂの通信を有効化する。
【００６８】
次に、再生装置１０の制御部１６が実行するコンテンツの再生処理について図６を用いて説明する。図６は、コンテンツの再生処理を示すフローチャートである。なお、この再生処理は、図４のステップＳ５，６，９，１０，１３，１４において通信経路の通信が無効化あるいは有効化され、ソースが切り替えられた後に実行される。
【００６９】
図６に示すように、まず制御部１６の再生コマンド出力部１６ｃは、切り替え後のソースのコンテンツの再生コマンドを再生部１６ａに対して出力して（ステップＳ１０１）、切り替え後のソースから供給されるコンテンツを再生部１６ａで再生させるようにする。そして、制御部１６の判定部１６ｄは、再生コマンド出力部１６ｃによって再生コマンドが出力されてから所定時間が経過したか否か判定する（ステップＳ１０２）。ここで、所定時間は、例えばソースの切り替え後、外部機器１１における動作状態が安定するのに要する時間に設定され、例えば６秒とされる。
【００７０】
再生コマンドが出力されてから所定時間が経過していない場合（ステップＳ１０２，Ｎｏ）、ステップＳ１０２の処理に戻る。一方、所定時間が経過した場合（ステップＳ１０２，Ｙｅｓ）、判定部１６ｄは、外部機器１１に対してコンテンツの再生がなされているか否かの判定を行う（ステップＳ１０３）。
【００７１】
判定部１６ｄによってコンテンツが再生されていると判定された場合（ステップＳ１０３，Ｙｅｓ）、そのまま本処理を終了する。他方、判定部１６ｄによってコンテンツの再生がなされていないと判定された場合（ステップＳ１０３，Ｎｏ）、再生コマンドを再度出力する（ステップＳ１０４）。これにより、切り替え後のソースから供給されるコンテンツを再生部１６ａでより一層確実に再生することができる。
【００７２】
すなわち、例えば外部機器１１の種類によっては、ソースを切り替えた直後は、動作状態が安定せず、ステップＳ１０１で出力される再生コマンドでコンテンツが再生されないおそれがある。そこで、本実施形態では、再生コマンドが再生コマンド出力部１６ｃから出力されてから所定時間が経過したとき、コンテンツの再生がなされているか否か判定し、再生がなされていないと判定された場合、再生コマンドを再度出力するようにした。これにより、外部機器１１がソースを切り替えた直後に動作状態が安定しない機器であっても、切り替え後のソースから供給されるコンテンツを再生部１６ａでより一層確実に再生することができる。
【００７３】
上述してきたように、第１の実施形態では、再生装置１０および再生システム１において、再生部１６ａで再生されるコンテンツを有するソース１４ａ，１４ｂ，１４ｃを切り替える指示を受け付けた場合、複数の通信経路２０ａ，２０ｂ，２０ｃのうち、切り替え前のソースに対応する通信経路の通信を無効化するようにしたので、切り替え後のソースから供給されるコンテンツを確実に再生することができる。
【００７４】
（第２の実施形態）
図７は、第２の実施形態に係る再生システム１００の構成を示す、図２と同様なブロック図である。なお、以下においては、第１の実施形態と共通の構成については、同一の符号を付して説明を省略する。
【００７５】
図７に示すように、第２の実施形態に係る再生システム１００において、再生装置１１０の制御部１６は、さらに固有情報取得部１６ｆを備える。固有情報取得部１６ｆは、外部機器１１の固有情報を取得する。ここで固有情報とは、例えば外部機器１１の型番や製造番号などである。
【００７６】
図８は、図７に示す再生システム１００の再生装置１１０の制御部１６の動作を示す、図４と同様なフローチャートである。なお、図８においては、第１の実施形態と同一の処理については、同一のステップ番号を付して説明を省略する。また、図８においては、図４のステップＳ２からＳ１４までの処理、具体的にはソースの切り替え時に実行される各通信経路の通信の無効化または有効化処理を、まとめてステップＳ１００の「ソース切り替え時の通信経路の通信の無効化／有効化処理」として示す。
【００７７】
図８に示すように、ステップＳ１の処理が終了すると、制御部１６の固有情報取得部１６ｆは、外部機器１１の固有情報を取得する（ステップＳ１ａ）。次いで、制御部１６は、取得された固有情報に基づき、外部機器１１が、最後に通信が確立された通信経路を、それ以前に通信が確立された通信経路よりも優先的に使用する「後優先タイプ」であるかを検出する（ステップＳ１ｂ）。
【００７８】
詳しく説明すると、外部機器は、上述した後優先タイプと、再生装置１１０でソースの切り替え指示を受け付けた場合に、データを送受信する（使用する）通信経路を、切り替え後のソースに対応する通信経路に自動的に切り替える「自動切り替えタイプ」とに分別される。そこで、後優先タイプである外部機器の固有情報（すなわち型番など）を、制御部１６のＲＯＭ内にマップ化して予め格納しておき、ステップＳ１ｂでは、固有情報に基づいてマップを検索し、外部機器１１が後優先タイプであるかを検出するようにしている。
【００７９】
次いで、制御部１６の通信経路制御部１６ｂは、外部機器１１のタイプに基づいて、前述したソース切り替え時における通信経路の通信の無効化または有効化処理が必要か否か判定する（ステップＳ１ｃ）。このステップＳ１ｃについて具体的に説明すると、外部機器１１が後優先タイプである場合、第１の実施形態で述べたように、ソースを切り替えたときに切り替え後のソースから供給されるコンテンツが再生されないといった問題がある。そのため、後優先タイプである場合は、通信経路の通信の無効化または有効化処理が必要となる。
【００８０】
これに対し、外部機器１１が自動切り替えタイプである場合、ソースの切り替え時に、切り替え後のソースに対応する通信経路が自動的に選択されてデータの送受信が行われるため、切り替え後のソースのコンテンツが再生されないといった問題が生じることはない。したがって、自動切り替えタイプである場合は、通信経路の通信の無効化または有効化処理は必要ない。
【００８１】
すなわち、ステップＳ１ｃでは、外部機器１１が後優先タイプである場合、ソース切り替え時における通信経路の通信の無効化または有効化処理が必要と判定する一方、自動切り替えタイプである場合、通信経路の通信の無効化または有効化処理は不要であると判定する。このように、通信経路制御部１６ｂは、固有情報に応じて得られた外部機器１１のタイプに応じて、切り替え前のソースに対応する通信経路の通信を無効化するか否か決定する。
【００８２】
制御部１６は、通信経路の通信の無効化または有効化処理が必要と判定された場合（ステップＳ１ｃ，Ｙｅｓ）、Ｓ１００に進んで通信経路の通信の無効化または有効化処理を実行する。他方、通信経路の通信の無効化または有効化処理が不要と判定された場合（ステップＳ１ｃ，Ｎｏ）、ステップＳ１００の処理を実行せずにそのまま本処理を終了する。
【００８３】
なお、ステップＳ１ａで取得される固有情報は、外部機器１１の型番などに限定されるものではなく、例えば外部機器１１が後優先タイプであるか、切り替え自動タイプであるかを示す情報であってもよい。その場合は、ステップＳ１ｂの処理を省略することが可能となる。
【００８４】
上述してきたように、第２の実施形態では、外部機器１１の固有情報を取得し、取得した固有情報に応じて、切り替え前のソースに対応する通信経路の通信を無効化するか否か決定するようにしたので、制御部１６を種々ある外部機器のタイプに対応させることが可能となる。また、通信経路の通信の無効化または有効化処理が必要なときに実行し、不要なときには実行しないようにすることで、制御部１６の処理負荷を軽減でき、高速化を図ることができる。
【００８５】
なお、上述した第２の実施形態では、外部機器１１の固有情報に応じて、通信経路の通信の無効化または有効化処理を実行するか否か決定するようにしたが、第１から第３の通信経路２０ａ，２０ｂ，２０ｃのそれぞれに優先順位が設けられている場合、その優先順位に基づいて通信経路の通信の無効化または有効化処理を実行するか否か決定するようにしてもよい。この場合、優先順位を示す情報は、固有情報に含まれている。
【００８６】
詳しく説明すると、上述した第１または第２の実施形態では、最後に通信が確立された通信経路において、他の通信経路よりも優先してデータの送受信が行われていた。
【００８７】
これに対し、本実施形態では、第１から第３の通信経路２０ａ，２０ｂ，２０ｃにおいて２以上の通信が確立した場合の相互間の優先順位が予め設けられている。これにより、例えば切り替え後のソースの通信経路の優先順位が、切り替え前のソースの通信経路に対して高い場合、切り替え後のソースの通信経路の通信が確立されると、切り替え後の通信経路は、切り替え前に通信が確立された通信経路よりも優先されることとなる。そのため、この場合は、切り替え後の通信経路においてデータの送受信が可能な状態になり、切り替え後のソースのコンテンツが再生されることから、通信経路の通信の無効化または有効化処理を実行しないようにする。
【００８８】
一方、切り替え後のソースの通信経路の優先順位が、切り替え前のソースの通信経路に対して低い場合、切り替え後の通信経路の通信が確立されても、切り替え前に通信が確立された通信経路が優先されることとなる。そのため、切り替え後のソースのコンテンツが再生部１６ａで再生されないといった問題が生じる。そこで、切り替え後の通信経路の優先順位が、切り替え前の通信経路の優先順位よりも低い場合は、通信経路の通信の無効化または有効化処理が必要と判定し、同処理を実行する。
【００８９】
これにより、切り替え前の通信経路（すなわち、優先順位の高い通信経路）の通信が無効化され、切り替え後の通信経路（すなわち、優先順位の低い通信経路）の通信が有効化され、よって切り替え後の通信経路においてデータの送受信が可能な状態になり、切り替え後のソースのコンテンツを確実に再生することができる。さらに、通信経路の通信の無効化または有効化処理が必要なときに実行し、不要なときには実行しない構成であるため、制御部１６の処理負荷を軽減でき、高速化を図ることもできる。
【００９０】
なお、上記実施形態では、第１の通信経路２０ａを無線通信、第２、第３の通信経路２０ｂ，２０ｃを有線通信としたが、これは例示であって限定されるものではない。すなわち、例えば第１から第３の通信経路２０ａ，２０ｂ，２０ｃうち、全てあるいは一部を無線通信としてもよい。
【００９１】
また、他の実施形態として、上述の第１の実施形態での記載と同様に、第２の実施形態においても、外部機器１１が通信経路制御部１６ｂを有していてもよい。この場合、上述のように、再生装置１１０側で、通信経路に対する通信の確立の有効化および無効化を制御するのではなく、外部機器１１側で、通信経路に対する通信の確立の有効化および無効化を制御するものである。
【００９２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９３】
１    再生システム
２    車両
１０    再生装置
１１    外部機器
１２    表示部
１３    スピーカ
１４ａ  第１のソース
１４ｂ  第２のソース
１４ｃ  第３のソース
１６    制御部
２０ａ  第１の通信経路
２０ｂ  第２の通信経路
２０ｃ  第３の通信経路
【図１】
2014072789.tif 000003
【図２】
2014072789.tif 000004
【図３】
2014072789.tif 000005
【図４】
2014072789.tif 000006
【図５】
2014072789.tif 000007
【図６】
2014072789.tif 000008
【図７】
2014072789.tif 000009
【図８】
2014072789.tif 000010